(57)【要約】【課題】一般のユーザが家庭内において手軽に、しかも正確に視力を測定できるようにする。【解決手段】テレビジョン装置で視力検査モードを選択すると、モニタにランドルト環３０が表示される。被検者は、このモニタに表示されたランドルト環３０を見て、切れ目３１の方向（上下左右）をリモコンの操作キーを用いて入力する。テレビジョン装置では、入力された向きが正しいか否かが判別され、正解の場合はモニタの背景３２を例えば赤色で表示し、不正解の場合は背景３２を例えば青色で表示する。１つの視力値につき複数回のランドルト環３０を表示して正否判別を行い、その判別結果に基づいて判定した被検者の視力をモニタに表示する。【選択図】図５
2007143665.tif 000002
【特許請求の範囲】
【請求項１】
放送信号から所定チャンネルの信号を取り出すチューナと、
前記チューナで取り出された信号を処理する信号処理部と、
前記信号処理部で処理された映像信号に基づいて映像を表示するモニタと、
前記信号処理部で処理された音声信号に基づいて音声を出力するスピーカと、
所定の動作を行わせるための操作キーを有するリモコンと、
を備えたテレビジョン装置において、
通常モードと視力検査モードとを選択する選択手段と、
複数の視力に対応したランドルト環のパターンを記憶した記憶手段と、
前記選択手段により視力検査モードが選択された場合に、前記記憶手段に記憶されているランドルト環のパターンを前記モニタに表示させる表示制御手段と、
前記モニタに表示されたランドルト環を見た被検者が前記リモコンの操作キーを用いて入力したランドルト環の向きに関する情報の正否を判別し、この判別結果に基づいて当該被検者の視力を判定する判定手段と、を備え、
前記モニタには、前記表示制御手段によって、１つの視力値に対してランドルト環のパターンが複数回表示され、
前記表示制御手段は、前記判定手段による正否判別ごとに当該判別の結果を前記モニタに表示させ、前記判定手段により判別された各回ごとの正解の数が所定数Ｎ以上であった場合に、１つ上の視力値に相当するランドルト環のパターンを前記モニタに表示させ、前記判定手段により判別された各回ごとの不正解の数が所定数Ｍ以上であった場合に、前記判定手段の視力判定結果に基づいて、前回表示されたランドルト環の視力値を被検者の視力として前記モニタに表示することを特徴とする視力検査機能付きテレビジョン装置。
【請求項２】
映像を表示するモニタと、前記モニタに所定の映像を表示させるために操作する操作部とを備えた映像表示装置において、
通常モードと視力検査モードとを選択する選択手段と、
複数の視力に対応した検査用マークのパターンを記憶した記憶手段と、
前記選択手段により視力検査モードが選択された場合に、前記記憶手段に記憶されている検査用マークのパターンを前記モニタに表示させる表示制御手段と、
前記モニタに表示された検査用マークを見た被検者が前記操作部を操作して入力した検査用マークに対する認識情報の正否に基づいて、当該被検者の視力を判定する判定手段と、を備え、
前記表示制御手段は、前記判定手段の判定結果に基づいて、被検者の視力を前記モニタに表示することを特徴とする視力検査機能付き映像表示装置。
【請求項３】
請求項２に記載の視力検査機能付き映像表示装置において、
前記モニタには、前記表示制御手段によって、１つの視力値に対して検査用マークのパターンが複数回表示され、
前記判定手段は、各回ごとに操作部から入力される前記認識情報の正否を判別し、この判別結果に基づいて被検者の視力を判定することを特徴とする視力検査機能付き映像表示装置。
【請求項４】
請求項３に記載の視力検査機能付き映像表示装置において、
前記表示制御手段は、前記判定手段により判別された各回ごとの正解の数が所定数Ｎ以上であった場合に、１つ上の視力値に相当する検査用マークのパターンを前記モニタに表示させ、前記判定手段により判別された各回ごとの不正解の数が所定数Ｍ以上であった場合に、前記判定手段の視力判定結果に基づいて、前回表示された検査用マークの視力値を被検者の視力として前記モニタに表示することを特徴とする視力検査機能付き映像表示装置。
【請求項５】
請求項３または請求項４に記載の視力検査機能付き映像表示装置において、
前記表示制御手段は、前記判定手段による正否判別ごとに当該判別の結果を前記モニタに表示させることを特徴とする視力検査機能付き映像表示装置。
【請求項６】
請求項２ないし請求項５のいずれかに記載の視力検査機能付き映像表示装置において、
前記判定手段によって判定された視力の履歴をメモリに記憶することを特徴とする視力検査機能付き映像表示装置。
【請求項７】
請求項６に記載の視力検査機能付き映像表示装置において、
前記メモリに記憶されている視力の履歴に基づいて、今回の視力と過去の視力とを対比して前記モニタに表示することを特徴とする視力検査機能付き映像表示装置。
【発明の詳細な説明】
【技術分野】
【０００１】
本発明は、視力検査の機能を備えたテレビジョン装置などの映像表示装置に関するものである。
【背景技術】
【０００２】
従来、視力検査を受けるには、病院（眼科）や眼鏡店へ行って検査を受けたり、定期健診の際に検査を受けるのが一般的である。この場合、最もよく行われているのは、ランドルト視力表による検査である。ランドルト視力表には、ランドルト環と呼ばれるＣ字形のマークが縦に配列されている。視力１．０に相当するランドルト環は、直径が７．５ｍｍ、環の太さが１．５ｍｍ、環の切れ目の幅が１．５ｍｍとなっており、視力表から５メートル離れた位置で環の切れ目を確認することができれば、視力は１．０とされる。ランドルト環は、視力が小さくなるほどサイズが大きくなる。例えば、視力１．０のランドルト環と比較して、視力０．５のランドルト環の大きさは２倍、視力０．２のランドルト環の大きさは５倍、視力０．１のランドルト環の大きさは１０倍となっている。ランドルト視力表は、国際的にも広く用いられている視力表であるが、わが国では、ランドルト環と平仮名や片仮名などの文字を併用した視力表も用いられている。また、ランドルト視力表には、紙に印刷したもののほか、検査装置のモニタに表示されるものもある。
【０００３】
後掲の特許文献１には、動体視力の検査装置が記載されている。動体視力検査は、移動像に対する視力を測定するもので、主として運転手の事故防止の観点から行われるものである。本文献においては、ビデオテープにあらかじめランドルト環の移動像が録画されており、この映像をテレビジョン受像機のモニタに映し出して、視力検査を行うようになっている。
【０００４】
また、後掲の特許文献２には、色覚の異常を検査するための装置が記載されている。本文献においては、色覚検査用のパターンを電子的に発生させてカラー受像管に表示し、被検者に色縞の見える所と見えない所との境界をたどらせて、その軌跡によりどの色相に異常があるかを判定するようにしている。
【０００５】
【特許文献１】特開昭５０−２１５９５号公報
【特許文献２】特開昭５０−１２０１９６号公報
【発明の開示】
【発明が解決しようとする課題】
【０００６】
上述したように、従来は、視力検査のために眼科や眼鏡店へ行ったり、定期健診を受けたりする必要があり、利用者にとってはきわめて不便であった。また、家庭において視力表を用いて自分で検査をする場合は、判定が不正確になって検査精度が悪くなり、判定を正確に行うためには被検者のほかに検査者（判定者）が必要となり、煩雑であった。一方、上記の特許文献１、２に記載されているような検査装置を通常の視力検査用の装置に適用したとしても、判定を行うのは医師などの検査者であるから、利用者は検査者のところまで足を運ばなければならず、不便であることに変わりはない。
【０００７】
本発明は、上述した課題を解決するものであって、その目的とするところは、一般のユーザが家庭内において手軽に、しかも正確に視力を測定できるようにすることにある。
【課題を解決するための手段】
【０００８】
本発明は、映像を表示するモニタと、このモニタに所定の映像を表示させるために操作する操作部とを備えた映像表示装置において、通常モードと視力検査モードとを選択する選択手段と、複数の視力に対応した検査用マークのパターンを記憶した記憶手段と、選択手段により視力検査モードが選択された場合に、記憶手段に記憶されている検査用マークのパターンをモニタに表示させる表示制御手段と、モニタに表示された検査用マークを見た被検者が操作部を操作して入力した検査用マークに対する認識情報の正否に基づいて、当該被検者の視力を判定する判定手段とを設け、表示制御手段が、判定手段の判定結果に基づいて、被検者の視力をモニタに表示するようにしたものである。
【０００９】
本発明においては、映像表示装置に通常モードと視力検査モードとが備わっており、視力検査モードを選択すると、検査用マーク（例えばランドルト環）がモニタに表示される。被検者は、このモニタに表示された検査用マークを見て、当該マークに対する認識情報（例えばマークの向き）をリモコン等の操作部を操作して入力する。すると、映像表示装置では、入力された認識情報が正しいか否かが判別され、その判別結果に基づいて判定された被検者の視力がモニタに表示される。このため、被検者はわざわざ検査に出向かなくても、一般家庭用テレビなどの映像表示装置を利用して、いつでも簡単に視力検査を行うことができる。しかも、視力の判定は映像表示装置が自動的に行うので、判定が正確であり、被検者自身で精度の高い視力検査を行うことができる。
【００１０】
本発明の好ましい実施形態においては、モニタには、表示制御手段によって、１つの視力値に対して検査用マークのパターンが複数回表示される。そして、判定手段は、各回ごとに操作部から入力される認識情報の正否を判別し、この判別結果に基づいて被検者の視力を判定する。これによると、１つの視力値に対して複数回の正否判別が行われることによって、視力判定の精度を高めることができる。
【００１１】
この場合、判定手段により判別された各回ごとの正解の数が所定数Ｎ以上であった場合に、１つ上の視力値に相当する検査用マークのパターンを表示制御手段によりモニタに表示させ、判定手段により判別された各回ごとの不正解の数が所定数Ｍ以上であった場合に、判定手段の視力判定結果に基づいて、前回表示された検査用マークの視力値を被検者の視力として表示制御手段によりモニタに表示させるようにするとよい。
【００１２】
また、本発明においては、表示制御手段が、判定手段による正否判別ごとに当該判別の結果をモニタに表示させるようにしてもよい。これによると、被検者は操作部から入力操作を行うたびに、当該入力結果の正誤を即座に知ることができる。
【００１３】
また、本発明においては、判定手段によって判定された視力の履歴をメモリに記憶するようにしてもよい。これによると、過去に検査した視力を必要なときに参照することができる。
【００１４】
また、本発明においては、上記メモリに記憶されている視力の履歴に基づいて、今回の視力と過去の視力とを対比してモニタに表示するようにしてもよい。これによると、今回の視力が過去からどのように変化しているかを、一目瞭然に知ることができる。
【発明の効果】
【００１５】
本発明によれば、わざわざ検査に出向かなくても、一般家庭用テレビなどの映像表示装置を利用して、簡単にしかも正確に視力を測定することができる。このため、長時間テレビを見たりゲーム機やパソコンを操作したりした直後の視力状況をチェックするのにきわめて有効である。
【発明を実施するための最良の形態】
【００１６】
以下、本発明の実施形態につき、図を参照して説明する。図１は、本発明に係るテレビジョン装置（以下「テレビ」という。）１００の一例を示すブロック図である。図１の構成は、以下で説明する各実施形態に共通のものである。
【００１７】
１は放送信号を受信するアンテナ、２はアンテナ１が受信した放送信号から所定チャンネルの信号を取り出すチューナである。３はチューナ２で取り出された信号を処理する信号処理部、４は信号処理部３から出力される映像信号に基づいてＬＣＤ（液晶ディスプレイ）からなるモニタ５を駆動するための信号を生成するＬＣＤ駆動部、５は映像を表示するモニタ、６は信号処理部３で処理された音声信号に対して検波や増幅などの処理を行う音声回路、７は音声回路６の出力に基づいて音声を出力するスピーカである。ここでは、モニタ５としてＬＣＤを用いた例を挙げているが、ＬＣＤに代えてＣＲＴ（陰極線管）やＰＤＰ（プラズマディスプレイパネル）等のモニタを用いることもできる。
【００１８】
８はテレビ１００の動作を制御するマイクロコンピュータ（以下「マイコン」という。）、９はリモコンＲから送信される信号を受信するリモコン受信部、１０はＲＯＭやＲＡＭ等から構成されるメモリ、１１はテレビ１００の前面に設けられるＬＥＤ（発光ダイオード）等からなる表示部、１２は同じくテレビ１００の前面に設けられるキー等からなる操作部、１３は各部に電源を供給する電源部である。メモリ１０には、サイズや向きの異なるランドルト環の種々のパターンがあらかじめ記憶されている。
【００１９】
以上において、マイクロコンピュータ８は本発明における判定手段および表示制御手段の一実施形態を構成し、メモリ１０は本発明における記憶手段の一実施形態を構成し、リモコンＲは本発明における選択手段および操作部の一実施形態を構成し、ランドルト環は本発明における検査用マークの一実施形態を構成している。
【００２０】
なお、図１にはテレビ単体の構成しか示されていないが、テレビ１００は、例えばＤＶＤ（Digital Versatile Disk）デッキやＶＣＲ（Video Cassette Recorder）デッキが内蔵された複合型テレビであってもよい。この場合は、図１の構成に、ＤＶＤ記録再生部を含むＤＶＤブロックと、ビデオテープ記録再生部を含むＶＣＲブロックとが追加される。
【００２１】
図２は、リモコンＲの一例を示した外観図である。この図２の構成も、各実施形態に共通のものである。５１はテレビ１００のモニタ５にメニュー画面を表示するためのメニューキー、５２はメニュー画面において所定の項目を選択するためのカーソルキー、５３はカーソルキー５２で選択された項目を決定するための決定キー、５４はテンキーからなる数値キーである。これらのキー５１〜５４は、本発明における操作キーの一実施形態を構成している。リモコンＲには、これら以外にも各種のキーが設けられているが、本発明には直接関係しないことから、他のキーの説明は省略する。
【００２２】
次に、上述したテレビ１００を利用して視力検査を行う場合の手順について説明する。
【００２３】
テレビ１００により視力検査を受けようとする者（以下「被検者」という。）は、テレビ１００の電源がＯＮになっている状態で、リモコンＲのメニューキー５１（図２）を操作し、モニタ５にメニュー画面を表示させる。図３は、メニュー画面の一例を示している。次に、被検者は、リモコンＲのカーソルキー５２を操作して、メニュー画面に表示されたメニューの中の「視力検査」を選択する。図３は、「視力検査」の項目がカーソルで選択された状態を示している。続いて決定キー５３を押して、この選択を決定する。これによって、テレビ１００は視力検査モードとなる。なお、リモコンＲに専用の視力検査モードキーを設け、このキーを操作することによって、直接視力検査モードに入るようにしてもよい。
【００２４】
視力検査モードになると、モニタ５の画面には、例えば図４（ａ）に示したような測定案内メッセージが表示される。本実施形態では、視力検査を右眼から行うため、図４（ａ）のメッセージが表示されるが、視力検査を左眼から行う場合は図４（ｂ）のようなメッセージが表示される。図４のメッセージが表示されて一定時間が経過すると、もしくは被検者がリモコンＲの所定のキー（例えば決定キー５３）を操作すると、モニタ５の画面には、図５（ａ）に示すようなＣ字形マークのランドルト環３０が、メモリ１０から読み出されて表示される。最初に表示されるランドルト環３０は、視力０．１（最低値）に相当するもので、サイズは最大となっている。３１はランドルト環３０の切れ目であって、この切れ目３１の存在する方向（図の例では右方向）によって、ランドルト環３０の向きが決まる。なお、図５（ａ）では、ランドルト環３０の色は黒であり、その背景３２の色は白となっている。
【００２５】
次に、被検者は、テレビ１００から予め決められた距離（例えば５ｍ）だけ離れた位置において、モニタ５の画面に表示されたランドルト環３０を見て、その向き、すなわち切れ目３１が上下左右のいずれの方向にあるかを判断し、その方向をリモコンＲのカーソルキー５２を用いて入力する。例えば、ランドルト環３０の切れ目３１が右にあると認識した場合は、カーソルキー５２の右側キーを操作し、切れ目３１が上にあると認識した場合は、カーソルキー５２の上側キーを操作する。なお、リモコンＲにカーソルキー５２が設けられていない場合は、例えば数値キー５４の所定のキーに上下左右を割り当て、このキーを利用して方向を入力するようにしてもよい。テレビ１００では、リモコン受信部９がリモコンＲから上下左右の情報を受信すると、マイコン８がリモコンＲでの入力結果、すなわち被検者が認識したランドルト環３０の向きが正しいか否かを判別し、入力結果の正誤を背景３２の色を変えることによって報知する。図５（ｂ）は入力結果が正しい場合の表示形態であって、背景３２が例えば赤色となっている。図５（ｃ）は入力結果が誤っている場合の表示形態であって、背景３２が例えば青色となっている。これによって、被検者は、判別結果を即座に知ることができる。判別結果の報知手段としては、上記以外に、例えば文字で表示する方法、音声で知らせる方法などを採用してもよい。
【００２６】
本実施形態では、１つの視力値に対してランドルト環３０のパターンが複数回（最大で５回）表示されるようになっており、各回ごとに、リモコンＲから入力した情報に対する正否判別が行われる。このため、１回目の判別が終了すると、続いて２回目のランドルト環３０のパターンがメモリ１０から読み出されて表示される。２回目に表示されるランドルト環３０は、例えば図６（ａ）に示すような切れ目３１が左にあるパターンである。このパターンについて、上述した手順と同じ手順に従って、リモコンＲで入力された上下左右の入力結果が正しいか否かを判別し、判別結果を図５（ｂ），（ｃ）で説明した態様で報知する。３回目以降の判定も同様の手順で行われる。図６（ｂ），（ｃ），（ｄ）は、それぞれ３回目、４回目、５回目に表示されるランドルト環３０のパターンの例を示している。なお、各回ごとに表示されるランドルト環３０のパターンは、メモリ１０に記憶されているパターンの中からランダムに抽出される。
【００２７】
また、本実施形態では、１つの視力値に対する各回ごとの正否判別の結果、正解数が３つあれば、１つ上の視力値に相当するランドルト環３０のパターンをモニタ５に表示させ、前記と同様の手順に従って判別を行う。これ以降も、１つの視力値に対する複数回の判別において正解数が３つあれば、順次、１つ上の視力値に相当するランドルト環３０のパターンを表示して、同様の手順に従って判別を行う。図７は、視力値が０．２、０．５、１．５の場合のランドルト環３０のパターンを示している。そして、最終視力値のランドルト環３０についての判別の結果、正解数が３つあれば、その最終視力値を被検者の視力と判定する。最大視力値は、一般のランドルト視力表では２．０であるが、ここではモニタ５の解像度を考慮して、１．５に設定されている。勿論、解像度を高くすることができれば、最終視力値を２．０としてもよい。
【００２８】
一方、本実施形態では、１つの視力値に対する各回ごとの正否判別の結果、不正解が２回連続した場合は、その時点で視力を決定する。この場合の被検者の視力は、前回（１つ前の回）に表示されたランドルト環３０の視力値と判定される。
【００２９】
図１０は、１つの視力値に対する正否判別の例を示したテーブルである。○は各回の判別で正解と判別されたことを表し、×は不正解と判別されたことを表している。Ａ〜ＤおよびＧの場合は、正解が３つあるから、それが確定した時点で１つ上の視力値に進む。ＥとＦの場合は、不正解が２回連続しているから、それが確定した時点で１つ上の視力値に進まずに視力を決定する。Ｈの場合は、正解が３つに満たず、不正解も２回連続していないので、本来は判定不能であるが、ここでは不正解の数が正解の数より多いことから、多数決の原理に従って、１つ上の視力値に進まずに視力を決定する扱いとする。あるいは、これに代えて、更にもう１回ランドルト環３０を表示して判別を行い（６回目の判別）、その判別結果が正解であれば、正解が３つなので１つ上の視力値に進み、判別結果が不正解であれば、不正解が２回連続するので視力を決定する扱いとしてもよい。
【００３０】
以上のようにして、右眼の視力が判定されると、次は左眼の視力測定に移る。この場合、モニタ５には、図４（ｂ）に示したような測定案内メッセージが表示される。以後の手順は、上述した右眼の測定の場合と全く同じである。そして、左眼について視力が判定されると、モニタ５の画面には、図８（ａ）で示すように、右眼の視力値と左眼の視力値とが表示され、視力検査は終了する。
【００３１】
このようにして測定された視力値は、図９に示したように、履歴としてメモリ１０に保存するようにしてもよい。これによると、例えば図８（ｂ）に示すように、今回の視力値とともに、前回の視力値や、それらの差を表示することができる。このように、今回の視力と前回の視力とを対比してモニタに表示することで、今回の視力が前回からどのように変化しているかを、一目瞭然に知ることができる。なお、前回の視力値だけでなく、前々回の視力値も表示するようにしてもよい。また、過去の一定期間に測定した視力値を、必要なときにメモリ１０から読み出して、モニタ５に表示するようにしてもよい。さらに、図８（ａ）と図８（ｂ）のいずれの画面を表示させるかを、ユーザが選択できるようにしてもよい。
【００３２】
図１１は、以上述べた視力検査の手順を表したフローチャートである。この手順は、マイコン８により所定のプログラムに基づいて実行される。ステップＳ１では、図３のメニュー画面で視力検査モードが選択されたか否かを判定する。視力検査モードが選択されなかった場合は（ステップＳ１：ＮＯ）、通常動作モードへ移行する。視力検査モードが選択された場合は（ステップＳ１：ＹＥＳ）、ステップＳ２へ進んで図４（ａ）に示した測定案内メッセージをモニタ５の画面に表示し、その後、図５（ａ）に示した視力０．１のランドルト環３０をメモリ１０から読み出して表示する（ステップＳ３）。
【００３３】
次に、被検者が操作するリモコンＲからの信号（上下左右の選択信号）をリモコン受信部９で受信し（ステップＳ４）、この信号に基づいて、被検者が認識したランドルト環３０の向きの正否を判別する（ステップＳ５）。このとき、判別結果を前述の図５（ｂ）、（ｃ）のように背景３２の色を変えることで報知する。続いて、正解が３回あったか否かを判定する（ステップＳ６）。初回判定時は、正解数が３回に満たないので（ステップＳ６：ＮＯ）、ステップＳ９へ移って、不正解が２回連続したか否かを判定する。初回判定時は不正解が２回連続してないので（ステップＳ９：ＮＯ）、ステップＳ１１へ移って、不正解が３回あったか否かを判定する。ここでも、初回判定時は不正解が３回ないので（ステップＳ１１：ＮＯ）、ステップＳ３へ戻り、図６（ａ）のような２番目のランドルト環３０のパターンをメモリ１０から読み出してモニタ５に表示する。その後、上述したステップＳ４〜Ｓ６、Ｓ９、Ｓ１１を実行して、再びステップＳ３へ戻り、図６（ｂ）のような３番目のランドルト環３０のパターンをモニタ５に表示する。以後、同様の手順を繰り返し、ステップＳ３へ戻るたびにランドルト環３０のパターンを変更して表示する。
【００３４】
ステップＳ４〜Ｓ６、Ｓ９、Ｓ１１を何回か実行する過程において、正解数が３つに達すると（ステップＳ６：ＹＥＳ）、ステップＳ７へ移って、その時のランドルト環３０の視力値が最終値（１．５）か否かを判定する。そして、視力値が最終値でなければ（ステップＳ７：ＮＯ）、ステップＳ８へ移って、１つ上の視力値、すなわち図７に示す視力０．２のランドルト環３０をモニタ５に表示する。その後は、上述したステップＳ４以降の手順を同様に実行する。
【００３５】
また、ステップＳ６において正解数が３つに至らないまま（ステップＳ６：ＮＯ）、不正解が２回連続した場合は（ステップＳ９：ＹＥＳ）、その時点で右眼の視力を決定する（ステップＳ１０）。この視力は、前述のように、前回に表示されたランドルト環３０の視力値となる。また、ステップＳ６において正解数が３つあって（ステップＳ６：ＹＥＳ）、かつ、ランドルト環３０の視力値が最終値であれば（ステップＳ７：ＹＥＳ）、その最終視力値（１．５）を被検者の右眼の視力として決定する（ステップＳ１０）。一方、ステップＳ６において正解数が３つに満たず（ステップＳ６：ＮＯ）、ステップＳ９において不正解が２回連続もせず（ステップＳ９：ＮＯ）、かつ、不正解数が３つある場合は（ステップＳ１１：ＹＥＳ）、その時点で右眼の視力を決定する（ステップＳ１０）。図１０のＨの場合がこれに該当する。このときの視力も、前回に表示されたランドルト環３０の視力値となる。
【００３６】
このようにして、右眼の視力が決定されると、ステップＳ１２へ移って、両眼の視力測定が終了したか否かを判定する。右眼の視力が決定した段階では、ステップＳ１２の判定はＮＯとなり、ステップＳ２へ移行して、図４（ｂ）に示した左眼についての測定案内表示を行う。その後の手順は、上述した右眼の視力測定の場合と同じである。そして、ステップＳ１０で左眼の視力が決定されると、ステップＳ１２の判定がＹＥＳとなって、ステップＳ１３へ進み、モニタ５の画面に図８で示した右眼と左眼のそれぞれの視力を表示する。
【００３７】
以上のようにして、本実施形態においては、テレビ１００で視力検査モードを選択すると、ランドルト環３０がモニタ５に表示され、被検者がリモコンＲでランドルト環３０の向き（上下左右のいずれか）を入力すると、マイコン８がこの向きの正否を判別し、その判別結果に基づいて被検者の視力を判定し、判定された視力がモニタ５に表示されるようになっている。このため、被検者はわざわざ検査に出向かなくても、一般家庭用のテレビ１００を利用して、リモコンＲの操作により、いたって簡単に視力検査を行うことができる。そして、視力の判定はマイコン８が自動的に行うので、判定が正確であり、被検者自身で精度の高い視力検査を行うことができる。特に、長時間テレビを見たり、ゲーム機やパソコンを長時間操作したりした直後は、眼が疲労していることから、このような場合に視力状況をチェックするのに本発明はきわめて有効である。
【００３８】
本発明では、以上述べた実施形態以外にも、以下に示すような種々の形態を採用することができる。例えば、図１１においては、正解が３つの場合に１つ上の視力値に進み、不正解が２回連続の場合に視力決定としたが、正解が３つあれば不正解の連続回数にかかわらず１つ上の視力値に進み、正解が３つに満たなければ視力決定としてもよい。この場合は、例えば、図１０のＥにおいて３回目〜５回目の判定結果が○（正解）であるときや、Ｆにおいて５回目の判定結果が○（正解）であるときは、１つ上の視力値に進むことになる。
【００３９】
上述した実施形態では、１つの視力値に対してランドルト環３０のパターンが複数回表示されるようになっているので、検査の精度を高めることができるが、本発明では必ずしもランドルト環３０を複数回表示する必要はなく、１つの視力値に対してランドルト環３０を１回だけ表示して判定を行ってもよい。この場合のフローチャートを図１２に示す。図１２では、図１１のステップＳ９，Ｓ１１が省略されており、またステップＳ６がステップＳ６ａに置き換わっている。その他の点については、図１１と全く同じである。
【００４０】
上述した実施形態では、右眼と左眼の視力を別々に測定する通常の視力検査の手順を例に挙げたが、本発明は、運転免許証の取得などに必要な両眼視力検査にも適用することができる。この場合は、視力検査モードが選択されると、例えば図１３に示すような画面をモニタ５に表示し、片眼視力検査と両眼視力検査とを選択できるようにすればよい。両眼視力検査の手順は、片眼視力検査の手順と基本的には同じであり、図１１および図１２において、ステップＳ１０で両眼の視力が決定されること、およびステップＳ１２が省略されることが異なるだけである。
【００４１】
上述した実施形態において、視力値が高くなるとランドルト環３０のサイズが小さくなるため、モニタ５の解像度の関係から、切れ目３１を識別し難くなることがあるが、この場合は、例えばモニタ５の画面の輝度を少し下げたり、コントラストを調整したりしてランドルト環３０を見易くする処理を行えばよい。この処理は、テレビ１００に備わる既存の調整回路を用いて簡単に行うことができる。
【００４２】
本発明では、視力の決定にあたって、実施形態で説明した以外の決定方法をとることも可能である。例えば、不正解が２回連続した場合に直ちに視力を決定するのではなく、１つ下の視力値に戻して測定を行い、その判定結果が正解であれば、再び視力値を１つ上げて再度測定を行い、その判定結果が不正解であった場合に、１つ下の視力値を以って視力を決定するようにしてもよい。
【００４３】
本発明で用いる検査用マークとして代表的なものは、実施形態で挙げたランドルト環３０であるが、ランドルト環に代えて平仮名、片仮名、アルファベット、数字などの文字を使用することもできる。文字の場合は、被検者により入力される認識情報は文字そのものとなる。リモコンＲで数字以外の文字を入力するにあたっては、例えば数字キー５２に文字を割り当てればよい。また、文字とランドルト環とを併用してもよく、さらには、これら以外の記号や図形を用いることもできる。
【００４４】
上述した実施形態では、視力検査を行う位置（テレビからの距離）が予め定まっていたが、検査位置はモニタ５の画面上で複数の位置の中から選択できるようにしてもよい。この場合は、各位置に応じた大きさの検査用マークをメモリ１０に記憶しておき、選択された位置に対応する検査用マークをメモリ１０から読み出してモニタ５に表示すればよい。また、テレビ１００の前面に被検者までの距離を測定するための測距センサを設け、このセンサにより被検者の位置を自動的に検出して、その距離に応じた大きさの検査用マークをモニタ５に表示するようにしてもよい。
【００４５】
以上述べた実施形態では、映像表示装置としてテレビ１００を例に挙げたが、本発明はテレビだけに限らず、例えばパソコンや、ゲーム機とモニタとを組み合わせた映像表示装置にも適用することができる。この場合、被検者が操作する操作部としては、例えばパソコンの場合はマウスを利用することができ、ゲーム機の場合はコントローラを利用することができる。
【図面の簡単な説明】
【００４６】
【図１】本発明に係るテレビジョン装置のブロック図である。
【図２】リモコンの外観図である。
【図３】メニュー画面の例である。
【図４】モニタの画面における測定案内メッセージの例である。
【図５】モニタの画面におけるランドルト環の例である。
【図６】モニタの画面におけるランドルト環の例である。
【図７】モニタの画面におけるランドルト環の例である。
【図８】モニタの画面における視力値表示の例である。
【図９】メモリに記憶された視力の履歴を示す図である。
【図１０】１つの視力値に対する正否判別の例を示したテーブルである。
【図１１】視力検査の手順を示すフローチャートである。
【図１２】他の実施形態による視力検査の手順を示すフローチャートである。
【図１３】モニタの画面における選択メニューの例である。
【符号の説明】
【００４７】
２    チューナ
３    信号処理部
５    モニタ
７    スピーカ
８    マイクロコンピュータ
１０  メモリ
３０  ランドルト環
５１  メニューキー
５２  カーソルキー
５３  決定キー
５４  数値キー
１００  テレビジョン装置
Ｒ    リモコン
【図１】
2007143665.tif 000003
【図２】
2007143665.tif 000004
【図３】
2007143665.tif 000005
【図４】
2007143665.tif 000006
【図５】
2007143665.tif 000007
【図６】
2007143665.tif 000008
【図７】
2007143665.tif 000009
【図８】
2007143665.tif 000010
【図９】
2007143665.tif 000011
【図１０】
2007143665.tif 000012
【図１１】
2007143665.tif 000013
【図１２】
2007143665.tif 000014
【図１３】
2007143665.tif 000015